(57)【要約】【課題】物干具あるいは物品載置具の使用時において不用意に手や物が当るなどして一時的に上向きの力が加わっても物干具あるいは物品載置具が垂下状に折り畳まれることがないが、折り畳む時には簡単な動作で折り畳むことができ、逆に折り畳んだ状態から水平状態に広げる時も片手で簡単に行なえる物干具あるいは物品載置具の折畳み構造とすること。【解決手段】物干枠体（または棚板）を略水平状態で上方あるいは下方から支持アームで筋交い状に支持する折畳み式物干具（または物品載置具）において、支持アームの水平部（または係合棒）は、物干枠体（または棚板）が回動して垂下状態から水平状態に近くなるにつれて物干枠体（または棚板）に形成された係止部（または係止溝）に近づき、さらに回動して水平より上向きになると係止部（または係止溝）に係合せず通り過ぎ、上向き状態から水平状態に戻すと係止部（または係止溝）に係合するよう構成した。【選択図】図１
0003162934.tif 000002
【実用新案登録請求の範囲】
【請求項１】
複数の物干棒を有する物干枠体の回動軸を、略コ字状に形成した支持アームの回動軸より上方位置で一対の支柱に軸支して、略水平状態の前記物干枠体を前記支持アームで下方から筋交い状に支持する折畳み式物干具において、支持アームの水平部が物干枠体の上面にくるように支持アームが物干枠体を跨いだ状態に配置したうえで支持アームの回動円が物干枠体の回動円からはみ出さないように物干枠体および支持アームを構成し、物干枠体の回動に伴って支持アームの水平部が物干枠体に接触して擦り動き、物干枠体の自由端部から回動軸方向に向かって擦り動く場合は係合せず、回動軸から自由端部方向に向かって擦り動く場合は係合して物干枠体の略水平状態を保持するよう物干枠体に係止部を形成したことを特長とする物干具の折畳み構造。
【請求項２】
複数の物干棒を有する物干枠体の回動軸を、略コ字状に形成した支持アームの回動軸より下方位置で一対の支柱に軸支して、略水平状態の前記物干枠体を前記支持アームで上方から筋交い状に支持する折畳み式物干具において、支持アームの水平部が物干枠体の上面にくるように配置したうえで支持アームの回動円が物干枠体の回動円からはみ出さないように物干枠体および支持アームを構成し、物干枠体の回動に伴って支持アームの水平部が物干枠体に接触して擦り動き、物干枠体の回動軸方向から自由端部に向かって擦り動く場合は係合せず、自由端部から回動軸方向に向かって擦り動く場合は係合して物干枠体の略水平状態を保持するよう物干枠体に係止部を形成したことを特長とする物干具の折畳み構造。
【請求項３】
係止部は、物干枠体に対する傾斜部とその傾斜部の上端部から連続する水平部と物干枠体の左右枠内側に固定するため傾斜部の下端部から連続する固定部を形成し、支持アームの水平部が前記左右係止部の水平部と物干枠体の左右両辺間にスムーズにそれぞれ出入り可能に、側面水平視で傾斜部と水平部が突出した状態でそれぞれ固定されていることを特長とする請求項１または２記載の物干具の折畳み構造。
【請求項４】
棚板の回動軸を、略コ字状に形成した支持アームの回動軸より上方位置あるいは下方位置に回動可能に軸支して、棚板を略水平状態で上方または下方から筋交い状に支持する折畳み式物品載置具において、支持アームの係合棒が棚板の上面にくるように配置したうえで支持アームの回動円が棚板の回動円からはみ出さないように棚板および支持アームを構成し、棚板の回動に伴って支持アームの係合棒が棚板に接触して擦り動き、支持アームが棚板を上方から支持する構成においては棚板の回動軸方向から自由端部に向かって擦り動く場合は係合せず、自由端部から回動軸方向に向かって擦り動く場合は係合し、支持アームが棚板を下方から支持する構成においては棚板の自由端部から回動軸方向に向かって擦り動く場合は係合せず、回動軸から自由端部方向に向かって擦り動く場合は係合して棚板の略水平状態を保持するよう棚板に係止部を形成したことを特長とする物品載置具の折畳み構造。
【考案の詳細な説明】
【技術分野】
【０００１】
本考案は、物干具あるいは物品載置具の折畳み構造に関するものである。
【背景技術】
【０００２】
従来、使用時には水平に起こして固定し、不使用時には垂下状態に倒して邪魔にならないようにしておく構造を利用した折畳み式の物干具あるいは物品載置具がある。
【先行技術文献】
【特許文献】
【０００３】
【特許文献１】特開２００２−２６３３９８号公報
【特許文献２】特開平１１−１６４９９４号公報
【特許文献３】実開平６−１７６９２号公報
【０００４】
特許文献１の物干し用スタンドは、物干し用枠体を下から支持部材で支える構造であり、支持部材の上端は物干し用枠体に回動自在に軸支され下端は本体脚部の溝部内で摺動自在となっている。溝部は逆Ｕ字状で一端は短く上方に位置し他端は長く下方に位置している。支持部材の下端が溝部の上方位置にある状態で物干し用枠体は水平状になり支持部材の下端が溝部の下方位置にある状態では物干し用枠体は垂下状に折り畳まれる。
【０００５】
しかし、使用状態の物干し用枠体に予期せぬ一時的な上向きの力が加わった場合にはその構造上、支持部材の下端は溝部のＵ字の頂点を越えて上方位置から下方位置へと摺動するため、物干し用枠体は折り畳まれた状態になってしまうという問題があった。
【０００６】
またその逆で不使用状態の物干し用枠体を使用状態にする場合には物干し用枠体を水平状に起こしただけではその状態を維持できず支持部材の下端を溝部のＵ字の頂点を越して上方位置に移動させなければならない。すなわち物干し用枠体と支持部材の両方を同時に動かす必要があるため片手ではやり辛いという問題もあった。さらには、逆Ｕ字状の溝を形成するという加工面の複雑さにおいても問題があった。
【０００７】
特許文献２のベランダハンガーは物干フレームを筋交い状に支持するステーの下端が係止される掛部が上下方向に複数あり、物干フレームの角度が調整可能となっている。また特許文献３のユニット式物干具は小物干しユニットを下から支える固定部材の下端が脚に回動自在に軸支され上端が小物干しユニットの連結部材後側に引っ掛る構造である。
【０００８】
特許文献２のベランダハンガーおよび特許文献３のユニット式物干具は、それぞれ特許文献１の物干し用スタンドとは構造が異なるが、使用状態において予期せぬ一時的な上向きの力が加わった場合には不使用時の折り畳まれた状態になってしまい、またその逆の不使用時から使用時の状態にするために両手を使わなければならないと言う問題点は特許文献１のものと同様である。
【考案の概要】
【考案が解決しようとする課題】
【０００９】
本考案が解決しようとする問題点は、物干具あるいは物品載置具の使用時において不用意に手や物が当るなどして一時的に上向きの力が加わったとしても物干具あるいは物品載置具が垂下状に折り畳まれることがないにも関わらず、折り畳む時には簡単な動作で折り畳むことができ、逆に折り畳んだ状態から水平状態に広げる時も片手で簡単に行なえる物干具あるいは物品載置具の折畳み構造とすることである。
【課題を解決するための手段】
【００１０】
請求項１記載の考案は、複数の物干棒を有する物干枠体の回動軸を、略コ字状に形成した支持アームの回動軸より上方位置で一対の支柱に軸支して、略水平状態の前記物干枠体を前記支持アームで下方から筋交い状に支持する折畳み式物干具において、支持アームの水平部が物干枠体の上面にくるように支持アームが物干枠体を跨いだ状態に配置したうえで支持アームの回動円が物干枠体の回動円からはみ出さないように物干枠体および支持アームを構成し、物干枠体の回動に伴って支持アームの水平部が物干枠体に接触して擦り動き、物干枠体の自由端部から回動軸方向に向かって擦り動く場合は係合せず、回動軸から自由端部方向に向かって擦り動く場合は係合して物干枠体の略水平状態を保持するよう物干枠体に係止部を形成したことを特長とする。
【００１１】
このように構成することにより、垂下状態の物干枠体を水平状態よりやや上向きまで回動させると支持アームも回動して、支持アームの水平部が物干枠体の自由端部から回動軸方向に向かって擦り動き係止部を通り過ぎる。次にやや上向き状態の物干枠体を略水平状態に戻すことにより支持アームの水平部が物干枠体の回動軸から自由端部方向に向かって擦り動いて係止部に係合するので物干枠体は略水平状態を保持することができる。
【００１２】
請求項２記載の考案は、複数の物干棒を有する物干枠体の回動軸を、略コ字状に形成した支持アームの回動軸より下方位置で一対の支柱に軸支して、略水平状態の前記物干枠体を前記支持アームで上方から筋交い状に支持する折畳み式物干具において、支持アームの水平部が物干枠体の上面にくるように配置したうえで支持アームの回動円が物干枠体の回動円からはみ出さないように物干枠体および支持アームを構成し、物干枠体の回動に伴って支持アームの水平部が物干枠体に接触して擦り動き、物干枠体の回動軸方向から自由端部に向かって擦り動く場合は係合せず、自由端部から回動軸方向に向かって擦り動く場合は係合して物干枠体の略水平状態を保持するよう物干枠体に係止部を形成したことを特長とする。
【００１３】
このように構成することにより、垂下状態の物干枠体を水平状態よりやや上向きまで回動させると支持アームも回動して、支持アームの水平部が物干枠体の回動軸から自由端部方向に向かって擦り動き係止部を通り過ぎる。次にやや上向き状態の物干枠体を略水平状態に戻すことにより支持アームの水平部が物干枠体の自由端部から回動軸方向に向かって擦り動いて係止部に係合するので物干枠体は略水平状態を保持する。
【００１４】
請求項３記載の考案は、係止部は、物干枠体に対する傾斜部とその傾斜部の上端部から連続する水平部と物干枠体の左右枠内側に固定するため傾斜部の下端部から連続する固定部を形成し、支持アームの水平部が前記左右係止部の水平部と物干枠体の左右両辺間にスムーズにそれぞれ出入り可能に、側面水平視で傾斜部と水平部が突出した状態でそれぞれ固定されていることを特長とする。
【００１５】
このように構成することにより、支持アームの水平部が物干枠体の回動に伴って物干枠体の左右両辺上面（水平状態での上面）に沿って擦り動く場合に、その方向により、係止部の傾斜部と水平部を乗り越えたり、水平部の下に入り込み傾斜部で動きを阻止されたりする。
【００１６】
請求項４記載の考案は、棚板の回動軸を、略コ字状に形成した支持アームの回動軸より上方位置あるいは下方位置に回動可能に軸支して、棚板を略水平状態で上方または下方から筋交い状に支持する折畳み式物品載置具において、支持アームの水平部が棚板の上面にくるように配置したうえで支持アームの回動円が棚板の回動円からはみ出さないように棚板および支持アームを構成し、棚板の回動に伴って支持アームの水平部が棚板に接触して擦り動き、支持アームが棚板を上方から支持する構成においては棚板の回動軸方向から自由端部に向かって擦り動く場合は係合せず、自由端部から回動軸方向に向かって擦り動く場合は係合し、支持アームが棚板を下方から支持する構成においては棚板の自由端部から回動軸方向に向かって擦り動く場合は係合せず、回動軸から自由端部方向に向かって擦り動く場合は係合して棚板の略水平状態を保持するよう棚板に係止部を形成したことを特長とする。
【００１７】
このように構成することにより、折畳み式物品載置具として、使用時において不用意に手や物が棚板に当るなどして一時的に上向きの力が加わったとしても棚板が垂下状に折り畳まれることがないにも関わらず、折り畳む時には簡単な動作で折り畳むことができ、逆に折り畳んだ状態から水平状態に広げる時も片手で簡単に行なえる。
【考案の効果】
【００１８】
以上のように本考案は、垂下状態の物干枠体あるいは物品載置具の棚板を水平状態にして支持アームで下から支持する構造、または支持アームで上から支持する構造において、物干枠体あるいは棚板に一時的に上向きの予期せぬ力が加わっても支持アームが係止部から外れることがなく、安心して洗濯物を干したり、棚板に物品を載せることが出来る。
【００１９】
また、垂下状態の物干枠体あるいは物品載置具の棚板を水平状態にしてその状態を継続させるためには、物干枠体または棚板だけを持って水平よりやや上向きの状態まで回動させた後に手を離せば、支持アームも一緒に回動して係止部に係合するので、片手でしかも一動作でできるという利点がある。
【００２０】
さらに、前述とは逆に水平状態の物干枠体または棚板を垂下状態にする場合には、支持アームを上向きに回動させることにより係止部との係合が解かれ物干枠体または棚板は重力により回動して垂下状態となるので、前述と同様に片手でしかも一動作でできるという利点がある。
【図面の簡単な説明】
【００２１】
【図１】本考案を利用した物干枠体が水平に保持された状態を示した斜視図
【図２】図１の物干枠体が折り畳まれた垂下状態を示した斜視図
【図３】図１の物干枠体が垂下状態から水平状態になる過程を示した側面図
【図４】図１の物干枠体を一部に利用した物干具を示した斜視図
【図５】他の実施例の物干枠体が垂下状態から水平状態になる過程を示した側面図
【図６】本考案を利用した物品載置具の使用時の状態を示した斜視図
【図７】図６の物品載置具が垂下状態から水平状態になる過程を示した側面図
【考案を実施するための形態】
【００２２】
以下、本考案の実施の形態を図面に基づき説明する。
【実施例１】
【００２３】
図１は、本考案の折畳み構造を利用した物干枠体１が水平状態に保たれ、物干として使用可能な状態を示した図である。図２は前記物干枠体１が邪魔にならないように垂下状態に折り畳まれた非使用時の状態を示した図である。
【００２４】
物干枠体１は線材で構成され、コ字状に形成した枠材１１の両端部をそれぞれ外側に向けて折り曲げて一対の支柱Ｓの対向周面に差し込んで回動軸１１ａ、１１ａとしている。また、自由端部１１ｄに平行な複数の物干棒１２が前記枠材１１の左右両辺１１ｂ、１１ｃに架け渡されている。さらに前記左右両辺１１ｂ、１１ｃのそれぞれのほぼ中央に係止部１３、１３が形成され、後述の支持アーム２０の水平部２０ｂが動く方向により係合したりしなかったりするようになっている。
【００２５】
支持アーム２０は、前記物干枠体１と同様の線材で略コ字状に形成し物干枠体１を跨いだ状態で配置し、その両端部を互いに内側に向けて折り曲げ、前記一対の支柱Ｓのそれぞれ外側の周面で前記回動軸１１ａより下方位置に差し込んで回動軸２０ａとしている。支持アーム２０の水平部２０ｂは前記左右両辺１１ｂ、１１ｃに接触しており、物干枠体１の回動に伴って左右両辺１１ｂ、１１ｃ上を擦り動く。
【００２６】
係止部１３、１３は、物干枠体１の左右両辺１１ｂ、１１ｃの対向位置にそれぞれ固定するための固定部１３ａと、それに連続して左右両辺１１ｂ、１１ｃに対して傾斜した傾斜部１３ｂと、さらに連続した水平部１３ｃとから成っている。
【００２７】
図３は、図１および図２の物干枠体１が非使用時の垂下状態（ａ）から使用時の水平状態（ｅ）になるまでの過程を順番に示した図である。なお、支持アーム２０の回動円が物干枠体１の回動円からはみ出さないように物干枠体１および支持アーム２０の大きさを設計し回動軸の位置を配置している。
【００２８】
図３（ａ）は物干枠体１が支柱Ｓ間で垂れ下がり支持アーム２０も支柱Ｓを挟んで垂れ下がった状態である。物干枠体の回動軸１１ａは支持アーム２０の回動軸２０ａより上にあり、物干枠体１の下端部（自由端部１１ｄ）は支持アーム２０の下端部（水平部２０ｂ）より下にある。
【００２９】
図３（ｂ）は物干枠体１を少し回動させた状態であり、それに伴って支持アーム２０の水平部２０ｂが物干枠体１の左右両辺１１ｂ、１１ｃに接触して支持アーム２０も少し回動している。
【００３０】
図３（ｃ）は物干枠体１をさらに水平に近い角度まで回動させた状態であり、支持アーム２０の水平部２０ｂは物干枠体１の自由端部１１ｄから回動軸１１ａに向かって擦り動き、係止部１３を乗り越えようとしている。なお、係止部１３の固定部１３ａは支持アーム２０の動きを妨げないよう物干枠体１の右辺１１ｃの向こう側で固定されているので、この視点からでは見えない。
【００３１】
図３（ｄ）は物干枠体１を水平以上に回動させて、支持アーム２０の水平部２０ｂが係止部１３を乗り越えた状態である。
【００３２】
図３（ｅ）は物干枠体１を水平に戻した状態であり、支持アーム２０の水平部２０ｂが物干枠体１の回動軸１１ａから自由端部１１ｄに向かって擦り動き係止部１３の水平部１３ｃの下に入り傾斜部１３ｂにより動きを阻止されているので、物干枠体１は水平状態を維持している。この状態において、物干枠体１に不用意に手や物が当って一時的に上向きの力が加わった場合は、図３（ｄ）の状態になり次の瞬間には図３（ｅ）の状態に戻る。
【００３３】
図３（ｅ）の状態を図３（ａ）の状態にするには支持アーム２０の水平部２０ｂが係止部１３から外れるまで支持アーム２０を上方へ回動させるだけで良い。水平部２０ｂが係止部１３から外れると物干枠体１は重力により垂下状態に戻る。
【００３４】
図４は本考案の折畳み構造を利用した物干枠体１を一部に組み入れた物干具Ｈであり、全体に折畳み可能となっている。
【実施例２】
【００３５】
図５は、他の折畳み構造の物干枠体３であり、垂下状態（ａ）から水平状態（ｅ）になる過程を順に示した側面図である。この物干枠体３は支持アーム２０で上から支持する構造であって、実施例１のものと支持アーム２０は共通であるが物干枠体３は係止部３３の向きが逆になっている。また、物干枠体３の回動軸３１ａは支持アーム２０の回動軸２０ａより下に位置し、支持アーム２０の回動円が物干枠体３の回動円からはみ出さないように物干枠体３および支持アーム２０の大きさを設計し回動軸の位置を配置している。
【００３６】
図５（ｂ）は物干枠体３を少し回動させた状態であり、支持アーム２０の水平部２０ｂが左右両辺３１ｂ、３１ｃに接触して支持アーム２０も少し回動している。
【００３７】
図５（ｃ）は物干枠体３を水平に近い角度に回動させて支持アーム２０の水平部２０ｂは物干枠体３の回動軸３１ａから自由端部３１ｄの方向に擦り動いて係止部３３を乗り越えようとしている。
【００３８】
図５（ｄ）は物干枠体３を水平以上に回動させて、支持アーム２０の水平部２０ｂが係止部３３を乗り越えた状態である。
【００３９】
図５（ｅ）は物干枠体３を水平に戻した状態であり、支持アーム２０の水平部２０ｂが物干枠体３の自由端部３１ｄから回動軸３１ａに向かって擦り動き係止部３３の水平部３３ｃの下に入り傾斜部３３ｂにより動きを阻止されているので、物干枠体３は水平状態を維持している。この状態において、物干枠体３に不用意に手や物が当って一時的に上向きの力が加わった場合も実施例１と同様に、図５（ｄ）の状態になり次の瞬間には図５（ｅ）の状態に戻る。
【実施例３】
【００４０】
図６は、実施例１の折畳み構造を利用した物品載置具４を示した斜視図であり、物品載置具４は、棚板４１と支持アーム５０および左右取付基板Ｓ１、Ｓ１で構成され、棚板４１は上面に溝４１ａを形成し左右側枠の前記溝４１ａに対応した位置に係止溝４３、４３をそれぞれ形成している。係止溝４３は左右側枠に形成された溝であり棚板４１に対して前下向きに傾斜した傾斜溝４３ａとその傾斜溝４３ａに続く水平溝４３ｂから構成されている。また、棚板４１は後端部に形成した回動軸４２、４２で前記左右取付基板Ｓ１、Ｓ１に回動自在に軸支される。
【００４１】
支持アーム５０は、左右一対のアーム部５０ａ、５０ａの一端を前記棚板４１の左右幅より若干長い係合棒５０ｂで連結し他端に形成した回動軸５０ｃ、５０ｃで左右の取付基板Ｓ１、Ｓ１に回動自在に軸支される。前記回動軸５０ｃは棚板４１の回動軸４２より下方位置で係合棒５０ｂが係止溝４３に係合した時点で棚板４１が水平姿勢になるよう配置されている。
【００４２】
図７は、前記物品載置具４の棚板４１が、垂下状態から水平状態になる過程を順に示した側面図である。支持アーム５０の係合棒５０ｂが棚板４１の上面にくるように配置したうえで支持アーム５０の回動円が棚板４１の回動円からはみ出さないように棚板４１および支持アーム５０の大きさを設計し回動軸の位置を配置している。
【００４３】
図７（ａ）は棚板４１を垂下状態から少し回動させた状態であり、支持アーム５０も連動して少し回動し係合棒５０ｂが棚板４１の係止溝４３に近づいている。図７（ｂ）は、棚板４１を水平よりやや上向きの角度まで回動させた状態であり、支持アーム５０の係合棒５０ｂが擦り動いて係止溝４３まで移動している。
【００４４】
図７（ｃ）は、水平よりやや上向きの角度まで回動させた棚板４１を水平に戻した状態であり、支持アーム５０の係合棒５０ｂが係止溝４３の傾斜溝４３ａを経て水平溝４３ｂの先端で移動を阻止されているので、棚板４１は水平状態を維持している。
【符号の説明】
【００４５】
１、３  物干枠体
１１    枠材
１１ａ、３１ａ  回動軸
１１ｂ、３１ｂ  左辺
１１ｃ、３１ｃ  右辺
１１ｄ、３１ｄ  自由端部
１２    物干棒
１３、３３  係止部
１３ａ  固定部
１３ｂ、３３ｂ  傾斜部
１３ｃ、３３ｃ  水平部
２０    支持アーム
２０ａ  回動軸
２０ｂ  水平部
４      物品載置具
４１    棚板
４１ａ  溝
４２    回動軸
４３    係止溝
４３ａ  傾斜溝
４３ｂ  水平溝
５０    支持アーム
５０ａ  アーム部
５０ｂ  係合棒
５０ｃ  回動軸
【図１】
0003162934.tif 000003
【図２】
0003162934.tif 000004
【図３】
0003162934.tif 000005
【図４】
0003162934.tif 000006
【図５】
0003162934.tif 000007
【図６】
0003162934.tif 000008
【図７】
0003162934.tif 000009